(57)【要約】  【課題】  固有表現に着目して文書を代表する役割を決定する。  【解決手段】  受け付けた文書中の固有表現が抽出され、さらに役割がある場合には役割を抽出して固有表現・役割記憶部１４に記憶する。クエリ受付部１５は、自然文のクエリを受け付ける。検索演算部１７は、クエリの固有表現を、固有表現・役割記憶部１４に保持されている、登録文書の固有表現と突き合わせ、所定の書を検索結果をして出力する。代表役割決定部１８は、文中に出現する固有表現の役割を取り出し、当該文書を代表する役割を決定する。表示属性決定部１９は、文書の代表役割に基づいて検索結果の表示リストの各文書エントリの背景色を決定する。【選択図】  図１
2005234771.tif 000002
【特許請求の範囲】
【請求項１】
文書中の固有表現を抽出する固有表現抽出手段と、
上記固有表現抽出手段により抽出された固有表現の役割を決定する固有表現役割決定手段と、
上記固有表現役割決定手段により決定された役割に基づいて上記文書を代表する役割を決定する代表役割決定手段とを有することと特徴とする文書管理装置。
【請求項２】
上記固有表現の役割は動作主の役割、動作対象の役割およびその他の役割である請求項１記載の文書管理装置。
【請求項３】
上記代表役割決定手段は、文書中で頻度が最も多い役割を、当該文書を代表する役割と決定する請求項１または２記載の文書管理装置。
【請求項４】
上記代表役割決定手段は、文書構造上予め定められた箇所の固有表現の役割に基づいて、当該文書を代表する役割と決定する請求項１または２記載の文書管理装置。
【請求項５】
上記代表役割決定手段は、文書の文脈を解析して重要な文を特定する手段を有し、上記重要な文に含まれる固有表現の役割に基づいて、当該文書を代表する役割と決定する請求項１または２記載の文書管理装置。
【請求項６】
要約を生成する要約生成手段を有し、上記代表役割決定手段は、上記要約に含まれる固有表現の役割に基づいて、当該文書を代表する役割と決定する請求項１または２記載の文書管理装置。
【請求項７】
文書のリストを表示する文書リスト表示手段を有し、上記代表役割決定手段により各文書の代表役割を決定して上記文書リストの各エントリの表示属性を適合的に表示する請求項１〜６のいずれかに記載の文書管理装置。
【請求項８】
固有表現抽出手段が文書中の固有表現を抽出するステップと、
固有表現役割決定手段が上記固有表現抽出手段により抽出された固有表現の役割を決定するステップと、
代表役割決定手段が上記固有表現役割決定手段により決定された役割に基づいて上記文書を代表する役割を決定するステップとを有することと特徴とする文書管理方法。
【請求項９】
固有表現抽出手段が文書中の固有表現を抽出するステップと、
固有表現役割決定手段が上記固有表現抽出手段により抽出された固有表現の役割を決定するステップと、
代表役割決定手段が上記固有表現役割決定手段により決定された役割に基づいて上記文書を代表する役割を決定するステップとをコンピュータに実行させるために用いられることを特徴とする文書管理用コンピュータプログラム。
【発明の詳細な説明】
【技術分野】
【０００１】
この発明は、文書群をリスト表示する際に、各文書を代表する役割に着目してユーザが文書を選択しやすくする文書リスト表示技術に関する。
【背景技術】
【０００２】
文書検索や文書分類において、検索結果や、分類結果をリスト表示してそのリストを用いてユーザが文書を選択するようにすることが知られている。そして、単語ベクトル空間法に代表されるような任意の尺度により、クエリーや分類枠と各文書とを突き合わせてスコアをとり、このスコアに基づいて各文書のエントリをランキング表示することにより、ユーザに重要な文書を提示する方法も知られている。なお、リスト（文書リスト）は、種々の態様が可能であり、例えば、タイトルや日付等の属性と、要約とから各文書のエントリが構成されるが、これに限定されない。
【０００３】
ところで、従来の単語レベル演算によるランキング表示では、スコアに着目して上位から順に表示されるが、文書中で主題となる単語が主体の役割なのか対象の役割なのか明確でない。また、そもそも、文書を選択する基準がランキングのスコア算出基準であるため、ユーザにとってはどのような視点でクエリと文書がマッチしているのか明確でない。
【０００４】
本発明者等は研究の結果、単語や固有表現等の文における役割に着目し、さらに、この役割から文書全体の役割を導出することが有益であるという見地に至った。そして、このような文書全体の役割に基づいた表示属性により文書リストの各エントリを表示することが、ユーザの文書選択上極めて有益であることを発見した。
【０００５】
この発明は、文書中の固有表現の文における役割に着目して文書の役割を決定しようとするものである。
【発明の開示】
【発明が解決しようとする課題】
【０００６】
この発明は、以上の事情を考慮してなされたものであり、文書を検索したり分類したりするときにそのキーワードを用いて文書を代表する役割を決定する技術を提供することを目的としている。
【課題を解決するための手段】
【０００７】
この発明の構成例では、例えば、文書中に出現する固有名詞の役割の違いにより、文書群をリスト表示する際に、文書の色を変えることにより、ユーザに文書を選びやすくする。また、文書中に出現する固有名詞の役割の違いにより、文書群をリスト表示する際に、役割によって重要度を設定しておき、文書の色を変えることにより、ユーザに文書を選びやすくする。
【０００８】
より具体的には、文書検索の検索結果や、文書分類の分類枠内の文書リストを表示する際に、文書中に出現する固有表現の役割(動作主、動作対象等)を用いて、文書の代表となる役割を決定する。固有表現（固有名ともいう）は、人名、組織名、地名、通貨、日付等、文中の重要な表現単位である。
【０００９】
複数の異なる役割が一つの文書中に存在する場合は、例えば、（１）最も多い役割をその文書の代表としたり、（２）タイトル等、文書の構造上から重要と分かる箇所の役割を重視したり、また（３）文脈解析等を行い、文書中で重要な文、例えば要約文を特定し、その文に含まれる役割を重視する。
【００１０】
この発明をさらに説明する。
【００１１】
この発明の一側面によれば、上述の目的を達成するために、文書管理装置に：文書中の固有表現を抽出する固有表現抽出手段と；上記固有表現抽出手段により抽出された固有表現の役割を決定する固有表現役割決定手段と；上記固有表現役割決定手段により決定された役割に基づいて上記文書を代表する役割を決定する代表役割決定手段とを設けるようにしている。
【００１２】
固有表現（固有名ともいう）は、人名、組織名、地名、通貨、日付等、文中の重要な表現単位である。
【００１３】
この構成においては、固有表現に着目して文書を代表する役割を決定するので、文書中の重要な語句の各文における役割を文書の役割に有効に反映させることができる。例えば、文書検索や文書分類により文書リストを表示する際に、文書の役割により決定される表示属性で表示リストの文書エントリが表示されるので、ユーザは役割に応じた視点から文書を容易に選択することができる。また、キーワードに着目して重要度を算出してこの重要度に応じた表示属性で表示リストの文書エントリが表示される。これら文書の役割や重要度に基づいて文書を選択して表示したり文書を順序づけたりしても良い。
【００１４】
文書リストは、各文書のタイトル等の属性や要約を含むが、これに限定されない。文書のエントリを含んで成るリストであればどのようなものでもよい。
【００１５】
この構成において、上記固有表現の役割は、例えば、動作主の役割、動作対象の役割およびその他の役割である。
【００１６】
上記代表役割決定手段は、例えば、文書中で頻度が最も多い役割を、当該文書を代表する役割と決定してもよいし、文書構造上予め定められた箇所の固有表現の役割に基づいて、当該文書を代表する役割と決定してもよい。
【００１７】
また、上記代表役割決定手段は、文書の文脈を解析して重要な文を特定する手段を有し、この重要な文に含まれる固有表現の役割に基づいて、当該文書を代表する役割と決定してもよい。
【００１８】
また、要約を生成する要約生成手段を有し、上記代表役割決定手段は、上記要約に含まれる固有表現の役割に基づいて、当該文書を代表する役割と決定するようにしてもよい。
【００１９】
また、文書のリストを表示する文書リスト表示手段を有し、上記代表枠割り決定手段により各文書の代表役割を決定して上記文書リストの各エントリの表示属性を適合的に表示するようにしてもよい。
【００２０】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２１】
この発明の上述の側面および他の側面は特許請求の範囲に記載され以下実施例を用いて詳述される。
【発明の効果】
【００２２】
この発明によれば、文書中の固有表現の役割を特定し重要な語句の役割を反映させて文書を代表する役割を決定することができる。
【発明を実施するための最良の形態】
【００２３】
以下、この発明の実施例について説明する。
【実施例１】
【００２４】
図１は、この発明を文書検索装置に適用して実施例１を示している。なお、この例では関連文書検索を行なうようになっており、自然文であるクエリを受け付けて固有表現を抽出し、これにマッチする文書を検索する。もちろん、この発明はこのような適用例に限定されるものではなく、後述するように、通常の単語（キーワード）による検索でもよい。また文書検索装置はコンピュータ１００にインストールされるが、これに限定されない。
【００２５】
図１において、文書検索装置は、文書受付部１０、文書記憶部１１、固有表現抽出部１２、役割抽出部１３、固有表現・役割記憶部１４、クエリ受付部１５、固有表現抽出部１６、検索演算部１７、代表役割決定部１８、表示属性決定部１９、表示部２０、表示属性指定部２１等を含んで構成されている。
【００２６】
文書受付部１０は、文書を継続的に受け付け、あるいは定期的に文書を収集する。受け付けた文書は文書記憶部１１に記憶保管される。固有表現抽出部１２は受け付けた文書中の固有表現を抽出する。抽出された固有表現の情報は固有表現・役割記憶部１４に記憶される。役割抽出部１３は抽出した固有表現に役割がある場合には役割を抽出して固有表現・役割記憶部１４に記憶する。役割は例えば、後述のように、動作主体の役割、打汪さ対象の役割、その他の役割であるが、これに限定されない。固有表現抽出および役割抽出の詳細については後に構成例を挙げて説明する。
【００２７】
クエリ受付部１５は、自然文のクエリを受け付ける。受け付けたクエリは固有表現抽出部１６に送られ固有表現が抽出される。固有表現抽出部１６は先の固有表現抽出部１２と同じであり、同様のプロセスである。もちろん、別個の基準で固有表現を抽出しても良い。
【００２８】
固有表現抽出部１６でクエリから抽出された固有表現は、検索演算部１７に送られる。検索演算部１７は、クエリの固有表現を、固有表現・役割記憶部１４に保持されている、登録文書の固有表現と突き合わせ、所定の検索基準でスコア付けして、所定の閾値を超える文書を検索結果をして出力する。
【００２９】
代表役割決定部１８は、検索結果に含まれる文書について、固有表現・役割記憶部１４の役割の情報を参照して、当該文書の固有表現の役割を取り出し、当該文書を代表する役割を決定する。この例では、文書に含まれる固有表現の役割に基づいて文書を代表する役割を決定する。どのように決定するかについては後に例を挙げて説明する。文書の役割は文書に対応づけて記憶される。文書のＩＤと文書の役割のテーブルを構成しても良いし、文書の役割を文書の属性として登録しても良い。
【００３０】
表示属性決定部１９は、文書の代表役割に基づいて検索結果の表示リストの各文書エントリの背景色を決定する。表示属性テーブル１９１は図２に示すように各役割に表示属性を指定しており、これを表引きして最終的な表示属性が決定される。表示属性テーブル１９１の内容は例えば表示属性指定部２１により指定することが可能である。もちろん、動作主体は赤、動作対象は緑というように固定されていても良い。
【００３１】
表示部２０は、検索結果の表示リストを、表示属性決定部１９の決定結果にしたがって表示する。表示例は例えば図１８に示すようなものであり、タイトル等の属性および要約が表示され、背景色が赤、緑、色なしで表示される。図１８の例では、文書の役割が、動作主体の役割のときには赤色の背景色で表示され、動作対象の役割のときには緑色の背景色で表示される。文字色を変えても良い。
【００３２】
つぎに、固有名抽出および役割抽出の例について説明する。
【００３３】
固有表現抽出部１２は、先に述べたように文書中の固有表現（固有名ともいう）を抽出するものである。固有表現は、人名、組織名、地名、通貨、日付等、文中の重要な表現単位である。固有表現抽出部１２は、例えば、図３に示すように、形態素解析部１２１、形態素解析辞書記憶部１２２、ルール適用部１２３およびルール記憶部１２４等を含んで構成される。
【００３４】
固有表現抽出部１２の入力は例えば図４に示すようなものであり、形態素解析辞書記憶部１２２の形態素解析辞書は例えば図５に示すようなエントリを持つ。形態素解析部１２１は形態素解析辞書を用いて入力例（図４）から図６に示すような解析結果を得る。図６において「／」は形態素間の区切りを示し、「＜」、「＞」で囲む部分は品詞を表す。図では、開始位置や長さは省略している。形態素解析結果はルール適用部１２３に入力されてルール記憶部１２４の抽出ルールを参照して固有表現が抽出される。図７は抽出ルールの例を示し、例えばルール番号５により「姓」と「名」が結合されて「ＰＥＲＳＯＮ」のカテゴリが付される。抽出結果は図８に示すようになる。この例では、各固有表現が抽出され、＜ＯＲＧＡＮＩＺＡＴＩＯＮ＞、＜ＰＥＲＳＯＮ＞、＜ＣＵＲＲＥＮＣＹ＞、＜ＤＡＴＥ＞、＜ＰＬＡＣＥ＞等のカテゴリが付される。なお、この実施例では固有表現のカテゴリは用いないので、説明は省略する。
【００３５】
さらに固有表現抽出および役割抽出の処理について説明する。図１０は、固有表現抽出部１２の処理を示しており、この図において、対象となる個々の文書を順次に取り出し、文書内容（図９に示す）に対して固有表現抽出を行う（Ｓ１０）。抽出された固有表現の情報を固有表現・役割記憶部１４に格納する。固有表現の情報は、例えば、文書ＩＤ、固有表現（出現形）、固有表現（標準形）、カテゴリであるが、これに限定されない。固有表現（標準形）は、図１１の標準標記テーブルを検索して決めることができる。図１３に示す役割テーブル（役割・助詞（相当語句）対応表）」１２１を参照し、役割に関する助詞（相当語句）が、抽出した固有表現に続いていれば、その固有表現の役割として対応する役割も登録する（Ｓ１２）。図１４に示す指示表現テーブル１２６の指示表現が抽出されたら、これも固有表現・役割記憶部１４に格納する（Ｓ１３）。そのカテゴリはＰＲＯＮＯＵＮとする。指示表現テーブルで指定されたカテゴリを持つ固有表現を固有表現・役割記憶部１４から検索し、もっとも近い固有表現のレコード番号を参照先として登録する。以上の処理を文書単位に実行する（Ｓ１４）。文書中のすべての固有表現を抽出し終えたら、これら固有表現の役割に基づいて文書を代表する役割を決定する。なお、標準表記テーブル１２５（図１１）、指示表現テーブル１２６（図１２）、役割テーブル１２７（図１３）はコンピュータ１００の記憶部に記憶される。
【００３６】
抽出された固有表現（指示表現を含む）は図１４に示すように固有表現・役割記憶部１４に格納される。この例では、抽出された固有表現に対して、レコード番号、所属する文書ＩＤ、固有表現（出現形）、カテゴリ、役割等が与えられる。
【００３７】
文書を代表する固有表現の決定基準としては例えば以下のものを採用できる。
【００３８】
（１）所定のカテゴリの固有表現を優先する
例えば、図１５（ａ）の文書から固有表現およびその役割を抽出して図１５（ｂ）の抽出結果を得、さらに、固有表現のなかでも人間に関係のあるカテゴリ（人名、組織名）を優先して図１５（ｂ）の絞り込み結果をえる。この結果から例えば多数決により文書を代表する役割を決定する。「その他の役割」が４つで、「主体の役割」が２であるので、文書の役割は「その他の役割」となる。
【００３９】
さらに、組織名より人名を優先させて絞り込むと、「ウィリアムズ局長（固有名：主体）」のみが残り、文書の役割は「主体」（動作主）となる。
【００４０】
（２）文書の構造から基準とする固有表現を決定する
例えばＸＭＬ（拡張可能マークアップ言語）等、構造を有する文書においては構造から基準の固有表現を決定する。例えば、図１６に示すような文書があるときには、「題名」や「概要」等に含まれる固有表現を選択して文書を代表する役割を決定する。図１６の例では、「題号」および「概要」の欄に含まれる固有表現を抽出する。「概要」に「富士ゼロックス」（商標）が「その他」の役割で表れており、ほかに固有表現がないとすると、これが文書を代表する役割となる。この基準（１）と上述の基準（２）とを組み合わせても良い。
【００４１】
つぎに検索処理について説明する。
【００４２】
図１７は検索処理の動作例を示しており、この図において、クエリ受付部１５が自然文のクエリを受け付ける（Ｓ２０）。固有表現抽出部１６がクエリから固有表現を抽出する（Ｓ２１）。検索演算部１７が、クエリから抽出して固有表現を用いて登録文書を対象として検索を行なう（Ｓ２２）。
【００４３】
つぎに表示属性決定部１９が検索結果に含まれる文書の代表役割を参照して表示属性テーブル１９１を表引きし各文書エントリの表示属性を決定する（Ｓ２３）。この実施例では、図２に示すように、文書を代表する役割が動作主体の役割でありば背景色を赤色にし、動作対象の役割であれば背景色を緑色にする。他の役割、あるいは役割がない場合には、表示属性はデフォルトのままである。この後、表示部２０が、表示属性に従って例えば図１８に示すように文書リストを表示する（Ｓ２４）。
【００４４】
ユーザは文書リストを閲覧し、さらに、所望の文書を選択して文書記憶部１１をアクセスし、文書本体を閲覧することができる。
【００４５】
なお、ユーザは表示属性指定部２１を用いて役割の表示属性を設定することができ、役割に着目した視点に応じて視点に合致した文書を他と区別して表示できる。
【００４６】
なおこの実施例では、図１８に示すように表示属性として赤、緑の背景色を用いたが、他の色を用いてもよく、また図１９に示すように「主体」、「客体」を表す文字やアイコンを表示しても良い。文書の属性としてタイトル等とともに表示しても良い。文書の役割を検索条件としても良い。また、図２０に示すように、ポインティングデバイスで文書エントリをポイントしたときに、所定の表示エリアに文書の役割が表示されても良い。例えば「役割は動作主体です」と表示されても良い。また、図２０に破線で示すように、吹き出し表示がなされても良い。
【００４７】
また、この実施例では、文書を代表する役割により表示属性を割り当てるようにしたが、例えば図２１に示すように、代表役割決定部１８に代えて重要度決定部２２に設け、文書中の固有表現の役割から重要度を算出しても良い。キーワードに対応する出現固有表現の役割に重要度を付し、それを累積して重要度を決定して、重要度の範囲に応じて表示属性を変えて文書リストを表示する。この場合、表示属性テーブル１９１は、重要度の各範囲と表示属性との対応を規定する。なお、図２１において図１と対応する箇所には対応する符号を付した。
【００４８】
また、図２２に示すように文書管理装置をサーバ・クライアントシステムで構成しても良い。図２２の例では、クライアントコンピュータ３００のクエリ送信部２３および表示属性指定送信部２４からクエリおよび表示属性指定をサーバコンピュータ２００に送信し、これらをサーバコンピュータ２００のクエリ受信部２５、表示属性指定受信部３０で受信し、そののち図１の例と同様に表示データを生成し、表示データ生成部２６からクライアントコンピュータ３００の表示部２０に送信し、文書リストを表示する。図２２においても図１と対応する箇所には対応する符号を付した。
【００４９】
また、上述の実施例では固有表現をキーワードとして検索を行なったが、単語をキーワードとして検索しても良い。例えば、図２３に示すように、索引生成部２７および索引記憶部２８を設け、構文解析等により出現単語と文書ＩＤの組からなる索引（例えば図２４参照）を生成して記憶する。キーワード抽出部２９はクエリからキーワードとなる単語を抽出し検索演算部１７がキーワードと索引とを突き合わせて検索演算を行い検索結果を出力する。なお、文書中の固有表現およびその役割は、図１の例と同様に、固有表現抽出部１２および役割抽出部により抽出され固有表現・役割記憶部１４に記憶される。
【００５０】
また上述実施例では文書リストの文書エントリの表示属性に文書の代表役割を反映させたが、代表役割に応じて文書リストに入れるかどうかを決定しても良い。例えば、文書の代表役割が動作主体の役割の文書のみリストに乗せるようにしても良い。また文書の属性として用いてソート等に用いることもできる。文書リストの表示順位を代表役割により決定するようにしても良い。また、固有表現の抽出領域を予め定めておく場合には、抽出領域に限って固有表現の抽出を行なうようにしても良い。
【実施例２】
【００５１】
つぎに、この発明を文書分類装置に適用した実施例２について説明する。図２５は実施例２の文書分類装置を全体として示している。なお、この例では単語のキーワードにより文書を分類するようにしている。また文書検索装置はコンピュータ１００にインストールされるが、これに限定されない。
【００５２】
図２５において、文書分類装置は、文書受付部５０、文書分類部５１、キーワード記憶部５２、分類済み文書記憶部５３、固有表現抽出部５４、役割抽出部５５、固有表現・役割記憶部５６、代表役割決定部５７、代表役割記憶部５８、表示属性決定部５９、表示属性テーブル５９１、表示部６０、表示属性指定部６１等を含んで構成されている。
【００５３】
文書受付部５０は、文書を受け付ける。受け付けた文書は、文書分類部５１に送られ、キーワード記憶部５２のキーワードに基づいて分類枠ごとに分類される。分類枠のキーワードの例は例えば図２８に示すようなものである。図２８の例ではキーワードに重み付けが付されていないが、重み付けを付しても良い。分類済みの文書は分類済み文書記憶部５３に記憶保管される。
【００５４】
固有表現抽出部５４、役割抽出部５５、固有表現・役割記憶部５６、代表役割決定部５７は、図１の実施例１の対応する部分と同様に構成される。ここでは説明を繰り返さない。
【００５５】
表示属性決定部５９は、文書の代表役割に基づいて分類結果の表示リストの各文書エントリの背景色を決定する。表示属性テーブル５９１は実施例１と同様に図２に示すように各役割に表示属性を指定しており、これを表引きして最終的な表示属性が決定される。表示属性テーブル５９１の内容は例えば表示属性指定部６１により指定することが可能である。もちろん、動作主体は赤、動作対象は緑というように固定されていても良い。
【００５６】
表示部６０は、検索結果の表示リストを、表示属性決定部５９の決定結果にしたがって表示する。表示例は例えば実施例１と同様であり、図１８に示すようなものであり、タイトル等の属性および要約が表示され、背景色が赤、緑、色なしで表示される。図１８の例では、文書の役割が、動作主体の役割のときには赤色の背景色で表示され、動作対象の役割のときには緑色の背景色で表示される。文字色を変えても良い。もちろん、図１９〜図２０等、実施例１で採用した種々の表示手法を採用できる。
【００５７】
ユーザは文書リストを閲覧し、さらに、所望の文書を選択して分類済み文書記憶部５３をアクセスし、文書本体を閲覧することができる。
【００５８】
図２６はこの実施例の文書分類装置の文書登録時の動作例を説明するものであり、図２６において、文書受付部５０が文書を登録し（Ｓ３０）、文書分類部５１が文書をキーワードの基づいて分類枠に分類する（Ｓ３１）。固有表現抽出部５４が固有表現を抽出し、役割抽出部５５がその役割を抽出する（Ｓ３２、Ｓ３３）。そののち代表役割決定部５７が固有表現の役割に基づいて文書の代表役割を決定して代表役割記憶部５８に登録する（Ｓ３４）。
【００５９】
図２７は、この実施例の文書分類装置の文書リスト表示時の動作例を示しており、この図において、登録文書の属性、要約、代表役割が取り出され（Ｓ４０）、これに基づいて文書リストが表示部６０に表示される（Ｓ４１）。要約は予め生成しておいて分類済み文書記憶部５３に保管しておいても良いし、文書リスト表示時に生成しても良い。文書リストの各エントリは文書の役割に応じた表示であり、ユーザはその役割の視点で文書リストを見ることができる。
【００６０】
また、この実施例では、文書を代表する役割により表示属性を割り当てるようにしたが、例えば図２９に示すように、代表役割決定部５７に代えて重要度決定部６２に設け、文書中のキーワードの役割から重要度を算出しても良い。重要度は重要度記憶部６３に記憶される。キーワードに対応する出現単語の役割に重要度を付し、それを累積して重要度を決定して、重要度の範囲に応じて表示属性を変えて文書リストを表示する。この場合、表示属性テーブル５９１は、重要度の各範囲と表示属性との対応を規定する。なお、図２９において図２５と対応する箇所には対応する符号を付した。
【００６１】
また、この実施例の文書分類装置をサーバ・クライアントシステムで構成しても良い。
【図面の簡単な説明】
【００６２】
【図１】この発明を文書検索装置に適用して実施例１を全体として示す図である。
【図２】上述実施例１の文書役割と表示属性との関係を説明する図である。
【図３】上述実施例１の固有表現抽出部・役割抽出部の構成例を説明するブロック図である。
【図４】上述実施例１の固有表現抽出部・役割抽出部に入力される文書の例を説明する図である。
【図５】上述実施例１の固有表現抽出部・役割抽出部で用いる形態素解析辞書の例を説明する図である。
【図６】上述実施例１の固有表現抽出部・役割抽出部における形態素解析結果の例を説明する図であうｒ。
【図７】上述実施例１の固有表現抽出部・役割抽出部による固有名抽出ルールの説明する図である。
【図８】上述実施例１の固有表現抽出部・役割抽出部による固有名抽出結果を簡略化して説明する図である。
【図９】上述実施例１の入力文書の例を説明する図である。
【図１０】上述実施例１の固有表現抽出部・役割抽出部の動作を説明するフローチャートである。
【図１１】上述実施例１の固有表現抽出部・役割抽出部で用いる標準表記テーブルを説明する図である。
【図１２】上述実施例１の固有表現抽出部・役割抽出部で用いる指示表現テーブルを説明する図である。
【図１３】上述実施例１の固有表現抽出部・役割抽出部で用いる役割テーブル（役割・助詞対応）を説明する図である。
【図１４】上述実施例１の固有表現抽出部・役割抽出部により抽出された固有表現レコードを説明する図である。
【図１５】固有表現のカテゴリに着目して文書の代表役割を決定する例を説明する図である。
【図１６】構造付き文書の構造に着目して文書の代表役割を決定する例を説明する図である。
【図１７】上述実施例１の検索演算部の動作を説明するフローチャートである。
【図１８】上述実施例１の文書リストの表示例を説明する図である。
【図１９】上述実施例１の文書リストの他の表示例を説明する図である。
【図２０】上述実施例１の文書リストのさらに他の表示例を説明する図である。
【図２１】上述実施例１の変形例を説明する図である。
【図２２】上述実施例１の他の変形例を説明する図である。
【図２３】上述実施例１のさらに他の変形例を説明する図である。
【図２４】図２３の索引の例を説明する図である。
【図２５】この発明を文書分類装置に適用した実施例２を全体として示す図である。
【図２６】上述実施例２の文書登録時の動作例を説明する図である。
【図２７】上述実施例２の文書リスト表示時の動作例を説明する図である。
【図２８】上述実施例２の分類枠のキーワードの例を説明する図である。
【図２９】上述実施例２の変形例を説明する図である。
【符号の説明】
【００６３】
１０      文書受付部
１１      文書記憶部
１２      固有表現抽出部
１３      役割抽出部
１４      固有表現・役割記憶部
１５      クエリ受付部
１６      固有表現抽出部
１７      検索演算部
１８      代表役割決定部
１９      表示属性決定部
２０      表示部
２１      表示属性指定部
２２      重要度決定部
２３      クエリ送信部
２４      表示属性指定送信部
２５      クエリ受信部
２６      表示データ生成部
２７      索引生成部
２８      索引記憶部
２９      キーワード抽出部
３０      表示属性指定受信部
５０      文書受付部
５１      文書分類部
５２      キーワード記憶部
５３      文書記憶部
５４      固有表現抽出部
５５      役割抽出部
５６      固有表現・役割記憶部
５７      代表役割決定部
５８      代表役割記憶部
５９      表示属性決定部
６０      表示部
６１      表示属性指定部
６２      重要度決定部
６３      重要度記憶部
１００      コンピュータ
１２１      形態素解析部
１２２      形態素解析辞書記憶部
１２３      ルール適用部
１２４      ルール記憶部
１２５      標準表記テーブル
１２６      指示表現テーブル
１２７      役割テーブル
１９１      表示属性テーブル
２００      サーバコンピュータ
３００      クライアントコンピュータ
５８１      表示属性テーブル
５９１      表示属性テーブル
【図１】
2005234771.tif 000003
【図２】
2005234771.tif 000004
【図３】
2005234771.tif 000005
【図４】
2005234771.tif 000006
【図５】
2005234771.tif 000007
【図６】
2005234771.tif 000008
【図７】
2005234771.tif 000009
【図８】
2005234771.tif 000010
【図９】
2005234771.tif 000011
【図１０】
2005234771.tif 000012
【図１１】
2005234771.tif 000013
【図１２】
2005234771.tif 000014
【図１３】
2005234771.tif 000015
【図１４】
2005234771.tif 000016
【図１５】
2005234771.tif 000017
【図１６】
2005234771.tif 000018
【図１７】
2005234771.tif 000019
【図１８】
2005234771.tif 000020
【図１９】
2005234771.tif 000021
【図２０】
2005234771.tif 000022
【図２１】
2005234771.tif 000023
【図２２】
2005234771.tif 000024
【図２３】
2005234771.tif 000025
【図２４】
2005234771.tif 000026
【図２５】
2005234771.tif 000027
【図２６】
2005234771.tif 000028
【図２７】
2005234771.tif 000029
【図２８】
2005234771.tif 000030
【図２９】
2005234771.tif 000031